(57)【特許請求の範囲】
【請求項１】
それぞれの端部が集まって配設された複数の樋部材と、これらの樋部材の前記端部とこれらの端部の近傍箇所とのうちの少なくとも一方に設けられた排水口と、前記複数の樋部材の前記端部が集まる箇所の下方に配設され、それぞれの前記排水口から流下する水を受けるための集水升とを有し、
この集水升は、集水升本体と、前記複数個の樋部材のうちの１個の樋部材に取り付けられた集水升補助体とを含んで形成され、この集水升補助体は、前記樋部材と前記集水升本体との間の中間高さ位置に配置されているとともに、前記集水升補助体の下端部には、前記集水升本体の立上壁の上端部と係合する屈曲係合部が形成され、この屈曲係合部は、前記集水升本体の立上壁の上端部を上から覆い、かつ前記集水升補助体の内部側へ屈曲して前記集水升本体の立上壁の上端部の内側において下方へ延びており、前記集水升本体の立上壁の上端部は、この集水升本体の内部側へ屈曲して下方へ延びる屈曲延出部となっており、前記屈曲係合部には、前記集水升本体の前記立上壁と前記屈曲延出部との間に挿入されて上へ延びる端部が設けられ、
前記集水升本体に対して前記集水升補助体はスライド自在となっているとともに、このスライドによって前記複数の樋部材のうちの前記１個の樋部材を含む２個の樋部材がなす角度が変更可能となっていることを特徴とする構築物の排水構造。
【発明の詳細な説明】
【０００１】
【発明の属する技術分野】
本発明は、構築物の排水構造に係り、例えば、バルコニ、ベランダ、テラス、テラス屋根、カーポート、カーポート屋根、集合住宅用外階段、集合住宅用外廊下、庇、バスやタクシー等の待合場屋根等の柱で支持される又は支持されない構築物に利用できるものである。
【０００２】
【背景技術】
構築物であって建物付設物にもなっているバルコニでは、柱で支持された柱支持タイプのバルコニについては、この柱を介してバルコニの構造材である妻梁と桁梁の端部同士が結合され、柱で支持されない柱なしタイプのバルコニについては、妻梁と桁梁の端部同士が直接結合される。また、従来のバルコニには、妻梁や桁梁が樋部材を兼ね、バルコニ上に降った雨水をバルコニの床部材であるデッキ部材の上面を流下させて妻梁や桁梁の内部に落下させ、これらの妻梁や桁梁の内部を流通させて雨水をバルコニの外部に排出するものがある。
【０００３】
このように、それぞれの端部が柱を介して又は直接結合している妻梁や桁梁を樋部材としている従来のバルコニでは、それぞれの端部から離れた妻梁と桁梁のそれぞれの箇所に升を設け、これらの升から延びる連結管を縦樋に接続し、妻梁と桁梁の内部を流通した雨水をこれらの升と連結管とを介して縦樋へと導いている。
【０００４】
【発明が解決しようとする課題】
この従来技術によると、樋部材となっている妻梁と桁梁から縦樋まで雨水を導くためには、２個の集水升と２本の連結管とが必要であるとともに、柱を介して又は直接結合されている妻梁と桁梁のそれぞれの端部から漏水しないようにこれらの端部を防水処理しなければならず、このため、バルコニの排水のための構造が全体的に複雑になる。
【０００５】
本発明の目的は、雨水等の水を排出するための構造を全体的に簡単化できるようになる構築物の排水構造を提供するところにある。
【０００６】
【課題を解決するための手段】
本発明に係る構築物の排水構造は、それぞれの端部が集まって配設された複数の樋部材と、これらの樋部材の前記端部とこれらの端部の近傍箇所とのうちの少なくとも一方に設けられた排水口と、前記複数の樋部材の前記端部が集まる箇所の下方に配設され、それぞれの前記排水口から流下する水を受けるための集水升とを有して構成されていることを特徴とするものである。
【０００７】
この構築物の排水構造では、複数の樋部材の端部が集まる下方に、これらの樋部材の排水口から流下する水を受けるための集水升が配設されているため、それぞれの樋部材ごとに升を設け、これらの升を縦樋等の排水管に連結するための連結管を升ごとに設けることが不要になるとともに、樋部材の排水口は、それぞれの樋部材の端部とこれらの端部の近傍箇所とのうちの少なくとも一方に設けられていればよく、たとえ、それぞれの樋部材の端部の近傍箇所に設けた排水口だけから水を集水升へ排出するようにし、それぞれの樋部材の端部から水が漏れても、この水は集水升で受けることができるため、それぞれの樋部材の端部を漏水しないように防水処理しなくてもよくなり、このため、構築物から水を排水するための構造を簡単化できる。
【０００８】
この構築物の排水構造において、排水口が設けられる複数の樋部材同士の配置位置関係は任意でよく、これらの樋部材同士は、例えば、一直線状に配置されてもよく、出隅を形成するように配置されてもよく、入隅を形成するように配置されてもよい。
【０００９】
また、樋部材の個数は２個でもよく、３個以上でもよい。
【００１０】
また、この構築物の排水構造は、前記複数の樋部材のそれぞれが配置位置変更不能に配置されている場合と、これらの樋部材のうちの少なくとも２個の樋部材がなす角度が変更可能になっている場合との両方について適用できる。
【００１１】
後者の場合には、少なくとも１個の樋部材と集水升とを前記角度の変更に追従可能に連結することが好ましい。
【００１２】
これによると、複数の樋部材のうちの少なくとも２個の樋部材がなす角度が変更可能になっていても、この角度の変更に集水升を対応させることができ、各種の角度に対して集水升は汎用性を有することになる。
【００１３】
このように複数の樋部材のうちの少なくとも２個の樋部材がなす角度が変更可能になっていて、これらの樋部材のうちの少なくとも１個の樋部材と集水升とを角度の変更に追従可能に連結するためには、配置位置が変更される樋部材を直接集水升に対して角度の変更方向へスライド可能に連結してもよく（第１例）、また、樋部材と集水升とを蛇腹等の伸縮自在な部材を介して連結してもよく（第２例）、また、集水升自体を蛇腹等の伸縮自在なものとしてもよく（第３例）、さらに、集水升を集水升本体と集水升補助体とを含むものとして形成し、樋部材に取り付けた集水升補助体を集水升本体に対して角度の変更方向にスライド可能に係合させることによって樋部材と集水升とを連結してもよい（第４例）。
【００１４】
これらのうち、第１例によると、集水升全体を樋部材の予想される配置位置の変更に対応できる最大の大きさ及び形状に予め設定しておくことが必要になってしまい、また、第２例によると、構造が複雑な蛇腹等の伸縮部材を用意しなければならなくなり、第３例によると、集水升自体が複雑な構造になってしまう。これらに対して第４例によると、集水升補助体の集水升本体に対するスライドによって樋部材の配置位置の変更に対応するため、集水升全体は大きくならず、また、集水升本体と集水升補助体はそれ程複雑な形状、構造にならないため、集水升全体を比較的簡単な形状、構造にして樋部材と集水升とを連結することができる。
【００１５】
また、以上の本発明に係る構築物の排水構造は、正四角形等の非変形敷地に構築される構築物に適用できるとともに、互いに対向する２つの辺が平行となっていない変形敷地に構築される構築物にも適用できる。そして、構築物をこの変形敷地と対応する形状にできるようにするため、上述したように、複数の樋部材のうちの少なくとも２個の樋部材がなす角度を変更可能にしてもよい。
【００１６】
また、以上の本発明に係る構築物の排水構造は、複数の樋部材の端部が構築物を支持する柱に当接又は近接して配設される場合と、構築物を支持する柱がなく、複数の樋部材の端部同士が直接結合される場合との両方に適用できる。言い換えると、この構築物の排水構造は、柱支持タイプの構築物と、柱なしタイプの構築物との両方に適用できる。
【００１７】
この構築物の排水構造が柱支持タイプの構築物に適用される場合には、複数の樋部材の端部が当接又は近接して配設される柱の長さ方向に沿った位置がこれらの樋部材の端部が集まる箇所になるため、前記集水升はこの柱の長さ方向に沿った位置に配置されることになる。
【００１８】
このように集水升を柱の長さ方向に沿った位置に配置する場合には、集水升を柱に直接又は間接的に取り付けてもよく、前記樋部材に直接又は間接的に取り付けてもよい。集水升を樋部材に取り付ける場合には、複数の樋部材の全部に集水升を結合してもよく、複数の樋部材のうちの１個又は複数個の樋部材に集水升を結合してもよい。また、集水升は、柱と、複数の樋部材のうちの少なくとも１個の樋部材とに取り付けてもよい。
【００１９】
また、このように複数の樋部材の端部が当接又は近接して配設される柱が存在する場合には、上述のように、これらの樋部材のうちの少なくとも２個の樋部材がなす角度を変更可能とするときにおける角度が変更可能になっているとは、少なくとも１個の樋部材の柱に対する配置位置がこの柱の周方向に変更可能になっていることでもよい。
【００２０】
これによると、構築物が構築された敷地が変形敷地である場合には、複数の樋部材のうちの少なくとも１個の樋部材の柱に対する配置位置をこの柱の周方向に変更することにより、変形敷地の形状に対応した位置にその樋部材を配置でき、また、このように樋部材の配置位置を柱の周方向に変更しても、樋部材と集水升を、この周方向における樋部材の配置位置の変更に追従可能に前述した構造によって連結しておくことにより、樋部材の前記排水口から排出される水を集水升に流下させることができる。
【００２１】
なお、この場合において前述した第４例を適用するときには、前記集水升本体は、柱に取り付けてもよく、集水升補助体が取り付けられる樋部材とは別の樋部材に取り付けてもよく、この樋部材と柱の両方に取り付けてもよい。
【００２２】
以上の本発明において、樋部材は構築物の妻梁や桁梁等の構造材であってもよく、すなわち、構造材が樋部材を兼ねるものであってもよく、樋部材は構造材とは別に用意された部材でもよい。
【００２３】
また、構築物は、バルコニでもよく、ベランダでもよく、テラスでもよく、テラス屋根でもよく、カーポートでもよく、カーポート屋根でもよく、集合住宅用外階段でもよく、集合住宅用外廊下でもよく、庇でもよく、バスやタクシー等の待合場屋根等でもよく、本発明は任意な構築物に適用できる。
【００２４】
さらに、本発明に係る構築物の排水構造は、雨水を構築物から排出するために有効であるとともに、雨水以外の水、例えば、洗濯物を干しときに生ずる洗濯水や、真夏や乾燥時にまく打ち水等の水を構築物から排出するためにも有効である。
【００２５】
【発明の実施の形態】
以下に本発明の実施形態を図面に基づいて説明する。図１には、本実施形態に係る構築物が示され、この構築物は建物１の外壁に設置されたバルコニ２であり、したがって、この構築物は建物付設物でもある。バルコニ２は、左右２本の柱３，４で支持された柱支持タイプのバルコニであり、このバルコニ２の構造材となって建物１から延びている左右の妻梁５，６（これらの妻梁のうち、右側の妻梁５は図１において右側の柱３の後側に隠れ、この柱３と重なっている）の先端部は、左右の柱３，４に結合されており、また、これらの柱３，４の間には、バルコニ２の構造材である桁梁７が妻梁５，６と同じ高さ位置で架設されている。
【００２６】
妻梁５，６及び桁梁７はバルコニ２の床８の外輪郭を形成し、この床８は、床部材である複数のデッキ部材９を根太の上に並設することにより形成されている。妻梁５，６及び桁梁７には手摺り１０が立設され、この手摺り１０は、妻梁５，６及び桁梁７よりも上方に延びる柱３，４の延長部分が構造材となって形成されている。
【００２７】
バルコニ２を含む建物１が建てられている敷地Ａは、一つの辺Ａ１と左右に対向する他の辺Ａ２が辺Ａ１に対して傾斜した斜辺となっている変形敷地である。このため、バルコニ２も、平面形状が変形敷地Ａと対応する形状になった変形バルコニであり、妻梁５と左右に対向している妻梁６は、辺Ａ１に対する辺Ａ２と同様に、妻梁５に対して水平面内における傾斜角度を有している。
【００２８】
図２は、デッキ部材９を除いて示す図１のＳ２―Ｓ２線断面図である。左右２本の柱３，４のうちの柱３は平断面が四角形の角柱であるが、図２で示すように、妻梁６の先端部６Ａと桁梁７の一端部７Ａとが結合される柱４は、平断面円形の円筒材で形成されており、この柱４に妻梁６の先端部６Ａと桁梁７の一端部７Ａとが中間部材１１，１２を介して結合されている。図６は、図２の矢視Ｓ６から見た図であり、中間部材１１は、柱４に当てがわれるベース部１１Ａと、このベース部１１Ａに上下の間隔を開けて水平に突設された２個のブラケット部１１Ｂ、１１Ｃとからなり、中間部材１２も、柱４に当てがわれるベース部１２Ａと、このベース部１２Ａに上下の間隔を開けて水平に突設された２個のブラケット部１２Ｂ、１２Ｃとからなる。
【００２９】
中間部材１１のベース部１１Ａはボルト１３で柱４に接合されているとともに、中間部材１１のブラケット部１１Ｂ、１１Ｃは、妻梁６に上下に形成されている水平の仕切り部６Ｂ，６Ｃにボルト１３で接合され、中間部材１２のベース部１２Ａもボルト１３で柱４に接合されているとともに、中間部材１２のブラケット部１２Ｂ、１２Ｃは、桁梁７に上下に形成されている水平の仕切り部７Ｂ，７Ｃにボルト１３で接合されている。
【００３０】
図２で示すように、両方の中間部材１１，１２のベース部１１Ａ，１２Ａにおける柱４との当接面１１Ｄ、１２Ｄは、柱４の外面と対応する曲率の円弧面となっている。このため、ボルト１３で柱４に接合される前のベース部１１Ａ，１２Ａは、円柱である柱４の周方向へ、具体的には、柱４の中心部を中心とする柱４の周方向へ移動させることができ、この周方向へのベース部１１Ａ，１２Ａの移動により、妻梁６、桁梁７を変形敷地Ａの形状と対応する位置に配置すること、言い換えると、妻梁６と桁梁７とがなす角度を変形敷地Ａの形状に基づく角度と対応させることが可能となっていて、この角度は、柱４に対する中間部材１１，１２の配置位置で変更できるようになっており、周方向への移動後、ベース部１１Ａ，１２Ａはボルト１３で柱４に接合される。
【００３１】
このように本実施形態では、中間部材１１，１２と妻梁６、桁梁７は、柱４の周方向へその配置位置を変更できるようになっているため、敷地Ａがどのような形状であっても、その形状と対応させて柱４に対する中間部材１１，１２と妻梁６、桁梁７の位置を調整できる。
【００３２】
図２で示された中間部材１１，１２を介して柱４に当接結合されている妻梁６の先端部６Ａと桁梁７の一端部７Ａとが集まる箇所の下方の位置、言い換えると、柱４の長さ方向に沿った位置であって妻梁６と桁梁７よりも低い高さ位置には、図６に示すとおり、集水升２９が配置されている。この集水升２９は、上面が開口して底を有している集水升本体３０と、この集水升本体３０の左右両側であって妻梁６と桁梁７に対応する位置に配置され、上面が開口して底を有している集水升補助体３１，３２とからなり、これらの集水升補助体３１，３２は、妻梁６、桁梁７と集水升本体３０との間の中間高さ位置に配置されている。
【００３３】
これらの集水升本体３０と集水升補助体３１，３２は図２でも示され、図３は、集水升本体３０と集水升補助体３１，３２のみを示す平面図であり、図４は、図３の矢視Ｓ４から見た図である。図３のとおり、これらの集水升本体３０と集水升補助体３１，３２の平面形状は、柱４を中心とする扇形状又は略扇形状である。集水升本体３０には、柱４に対する内外径方向の端部において立上壁３０Ａ，３０Ｂが形成されているとともに、集水升本体３０の左右両端部には立上壁３０Ａ、３０Ｂよりも低い立上壁３０Ｄ，３０Ｅが形成され、また、集水升補助体３１，３２には、柱４に対する内外径方向の端部に立上壁３１Ａ，３１Ｂ，３２Ａ，３２Ｂが形成されているとともに、集水升補助体３１，３２の左右端部のうちの集水升本体３０とは反対側の端部に、立上壁３１Ａ，３１Ｂ，３２Ａ，３２Ｂと同じ高さの立上壁３１Ｃ，３２Ｃが形成され、集水升補助体３１，３２における集水升本体３０と同じ側の端部は開口されている。
【００３４】
集水升本体３０と集水升補助体３１，３２は、それぞれの開口された左右の端部の側において、すなわち、図３で示された集水升本体３０と集水升補助体３１とについては、集水升本体３０の右端部の側と集水升補助体３１の左端部の側とにおいて、集水升本体３０と集水升補助体３２とについては、集水升本体３０の左端部の側と集水升補助体３２の右端部の側とにおいて、これらの開口端部による係合開始端部から互いに係合重複されており、この係合重複された構造により、集水升補助体３１，３２は集水升本体３０に対して柱４の周方向へスライド自在、言い換えると、妻梁６と桁梁７とがなす角度の変更方向へスライド自在となっている。
【００３５】
図５は、図３のＳ５−Ｓ５線断面図であり、この図５には、同じ構造となっている集水升本体３０と集水升補助体３１との係合重複部と、集水升本体３０と集水升補助体３２との係合重複部のうち、集水升本体３０と集水升補助体３１との係合重複部が、代表例として示されている。集水升本体３０の立上壁３０Ａ，３０Ｂの上端部には、集水升本体３０の内部側へ屈曲して下方へ延びる屈曲延出部３３が形成され、また、集水升補助体３１の立上壁３１Ａ，３１Ｂの下端部には、集水升補助体３１の内部側へ屈曲して屈曲延出部３３の内側において下方へ延び、それから屈曲延出部３３の外側において上方へ延びる屈曲係合部３４が形成されている。集水升本体３０の左右両端部に形成されている前記立上壁３０Ｄ，３０Ｅの高さは、屈曲延出部３３の下端を水平に通る屈曲係合部３４の下端部３４Ａと同じかこれよりも低い高さとなっている。
【００３６】
集水升本体３０の屈曲延出部３３と集水升補助体３１，３２の屈曲係合部３４は互いに係合しているとともに、平面形状が扇形状又は略扇形状となっている集水升本体３０及び集水升補助体３１，３２の扇開き方向全長又は扇開き方向略全長に亘って形成されている。これらの屈曲延出部３３と屈曲係合部３４のうち、少なくともそれぞれの係合開始端部から一定距離の範囲内の部分は、柱４の中心部を中心とする円弧状となっているため、集水升本体３０に対して集水升補助体３１，３２は柱４の周方向へスライド自在となっている。
【００３７】
図４及び図５で示されているとおり、集水升本体３０の内側の端部の下部、言い換えると、集水升本体３０の柱４側の立上壁３０Ａの下部にはブラケット部３５が集水升本体３０と一体に形成されており、このブラケット３５をビス等の止着具で柱４に止着することにより、集水升本体３０は柱４に取り付けられる。また、集水升本体３０の底３０Ｃには縦樋接続部３６が形成され、この縦樋接続部３６に、柱４に取り付けられる縦樋３７が接続される。
【００３８】
図７は図２のＳ７−Ｓ７線断面図で、図８は図２のＳ８−Ｓ８線断面図である。集水升補助体３１，３２が示されているこれらの図７と図８で示すように、集水升補助体３１，３２の扇開き方向端部には斜め上方へ延びる突片部３８が一体に形成され、これらの突片部３８が前記桁梁７の下部傾斜部７Ｄと前記妻梁６の下端に形成された舌片部６Ｄにビス等の止着具３９で止着されることにより、集水升補助体３１，３２は妻梁６、桁梁７に取り付けられる。このように集水升補助体３１，３２を妻梁６、桁梁７に取り付ける際には、妻梁６と桁梁７との間の柱４を中心とする開き角度と対応する位置に集水升補助体３１，３２を配置するために、集水升本体３０に対して集水升補助体３１，３２をスライドさせる。
【００３９】
図７で示すように、桁梁７のバルコニ内側の側面には、桁梁７の下面である図６で示した前記水平の仕切り部７Ｃから一定高さ立ち上がった側壁部７Ｅが形成され、この側壁部７Ｅの高さの範囲が桁梁７の内部に形成された樋部４０になっているとともに、側壁部７Ｅの上端に水平に設けられた受け部７Ｆに、根太９Ａを介して図１で示された前記デッキ部材９の桁梁７側の端部が載せられ、この端部から雨水が樋部４０に落下するようになっている。すなわち、桁梁７は、バルコニ２の樋部材を兼ねている。
【００４０】
また、図８で示すように、妻梁６のバルコニ内側の側面には、図６で示した妻梁６の前記水平の仕切り部６Ｃから一定高さ立ち上がった側壁部６Ｅが形成され、この側壁部６Ｅの高さの範囲が妻梁６の内部に形成された樋部４１になっており、側壁部６Ｅの上端に水平に設けられた受け部６Ｆに、デッキ部材９の妻梁６側の端部が載せられ、この端部から雨水が樋部４１に落下するようになっている。すなわち、妻梁６も、バルコニ２の樋部材を兼ねている。
【００４１】
図２、図７及び図８に示されているように、妻梁６の仕切り部６Ｃには、妻梁６の柱４側の先端部６Ａの近傍において、排水口４２が形成され、また、桁梁７の仕切り部７Ｃには、桁梁７の柱４側の一端部７Ａの近傍において、排水口４３が形成されている。そして、これら排水口４２，４３の真下に集水升補助体３１，３２が配置されている。
【００４２】
このため、バルコニ２上に降ってデッキ部材９のそれぞれの端部から妻梁６の内部の樋部４１及び桁梁７の内部の樋部４０に落下した雨水は、排水口４２，４３から集水升補助体３１，３２へ流下することになり、この後、雨水は集水升本体３０の縦樋接続部３６から縦樋３７へ導かれ、バルコニ２の外部へ排出される。
【００４３】
なお、本実施形態では、図２で示されているように、妻梁６の先端部６Ａを柱４に結合するための前記中間部材１１のベース部材１１Ａのバルコニ内外方向における幅寸法は、妻梁６の同方向における幅寸法よりも小さく、また、桁梁７の一端部７Ａを柱４に結合するための前記中間部材１２のベース部材１２Ａのバルコニ内外方向における幅寸法も、桁梁７の同方向における幅寸法よりも小さい。このため、樋部４０，４１へ落下した雨水は、これらのベース部材１１Ａ，１２Ａで塞がれていない妻梁６の先端部６Ａの開口部及び桁梁７の一端部７Ａの開口部からも集水升補助体３１，３２へ流下するようになっている。
【００４４】
以上説明した本実施形態によると、妻梁６の先端部６Ａと桁梁７の一端部７Ａが集まる下方に、これらの妻梁６と桁梁７に形成した排水口４２，４３から流下する雨水を受けるための集水升２９を配設したため、従来と異なり、樋部材となっている妻梁６と桁梁７ごとに升を設けることと、これらの升を縦樋に連結するための連結管を升ごとに設けることとが不要になり、これにより、バルコニ２から雨水を排出するための構造を簡単化することができる。
【００４５】
また、妻梁６の先端部６Ａと桁梁７の一端部７Ａから雨水が漏れても、この雨水を集水升２９に落下させることができるため、妻梁６の先端部６Ａと桁梁７の一端部７Ａとを漏水しないように防水処理することは不要になり、このため、この点でも、バルコニ２から雨水を排出するための構造を簡単化することができる。
【００４６】
さらに、集水升２９は、集水升本体３０と集水升補助体３１，３２からなり、妻梁６と桁梁７に取り付けられる集水升補助体３１，３２は、柱４に取り付けられる集水升本体３０に対して柱４の周方向にスライド可能に係合しているため、正四角形等の非変形敷地に建てられる建物のバルコニについても、変形敷地に建てられる建物のバルコニについても、集水升３０に対する集水升補助体３１，３２のスライドによって対応できることになり、各種形状の敷地に対処できるという利点がある。
【００４７】
また、集水升本体３０に対する集水升補助体３１，３２のスライド構造は、図５で示したように、集水升本体３０に形成した屈曲延出部３３に集水升補助体３１，３２に形成した屈曲係合部３４をスライド自在に係合するものであって、屈曲係合部３４は下方へ延びる屈曲延出部３３を上から覆うものになっているとともに、この屈曲係合部３４の上へ延びる端部３４Ｂは、集水升本体３０の立上壁３０Ａ，３０Ｂと屈曲延出部３３との間に挿入されているため、集水升補助体３１，３２から集水升本体３０へ雨水を漏れることなく送ることができ、しかも、集水升本体３０と集水升補助体３１，３２とを、外れることなくスライド自在に係合させることができる。
【００４８】
また、本実施形態によると、バルコニ２の構造材である妻梁６と桁梁７の内部には樋部４１，４０が設けられているため、これらの妻梁６、桁梁７と別に樋部材を用意する必要がなく、バルコニ２の全体の構造を簡単化できる。
【００４９】
図９は、本発明の別実施形態を示す。この実施形態では、柱５４に端部５６Ａ，５７Ａが当接又は近接して配置されたバルコニの妻梁５６と桁梁５７は、変形敷地の形状に対応した開き角度で柱５４の周囲に配置され、これらの妻梁５６と桁梁５７の開き角度に対応する扇形状又は略扇形状となっている集水升６９が、妻梁５６の端部５６Ａと桁梁５７の端部５７Ａが集まる箇所の下方における柱５４の長さ方向に沿った位置に配置されている。この集水升６９の扇開き方向両端部には、集水升６９を妻梁５６と桁梁５７に取り付けるためのブラケット部６９Ａ，６９Ｂが形成され、また、内部に樋部が形成されている妻梁５６、桁梁５７には、これらの樋部から雨水を集水升６９へ落下させるための排水口７２，７３が形成され、妻梁５６の端部５６Ａと桁梁５７の端部５７Ａは防水処理されている。
【００５０】
この実施形態のように、集水升６９は、柱５４を中心とする妻梁５６と桁梁５７との間の開き角度に対応する一定の扇形状又は略扇形状に予め形成された１個の部材からなるものでもよく、また、集水升６９は、柱５４ではなく、妻梁５６や桁梁５７に取り付けてもよい。
、
【発明の効果】
本発明によると、構築物から雨水等の水を排出するための構造を全体的に簡単化できるという効果を得られる。
【図面の簡単な説明】
【図１】本発明の一実施形態に係る構築物であるバルコニの全体を示す正面斜視図である。
【図２】バルコニのデッキ部材を除いて示す図１のＳ２−Ｓ２線断面図である。
【図３】図２で示された集水升を形成する集水升本体と集水升補助体のみを示す平面図である。
【図４】図３の矢視Ｓ４から見た図である。
【図５】図３のＳ５―Ｓ５線断面図である。
【図６】図２の矢視Ｓ６から見た図である。
【図７】図２のＳ７―Ｓ７線断面図である。
【図８】図２のＳ８―Ｓ８線断面図である。
【図９】本発明の別に係る集水升を示す平面図で、バルコニの柱、妻梁、桁梁を２点鎖線で示した図である。
【符号の説明】
１  建物
２  構築物であるバルコニ
３，４，５４  柱
５，６、５６  バルコニの構造材であって樋部材でもある妻梁
６Ａ，５６Ａ  妻梁の端部
７，５７  バルコニの構造材であって樋部材でもある桁梁
７Ａ，５７Ａ  桁梁の端部
１１，１２  中間部材
２９，６９  集水升
３０  集水升本体
３１，３２  集水升補助体
４２，４３、７２，７３  排水口
【図１】
0003836352.tif 000002
【図２】
0003836352.tif 000003
【図３】
0003836352.tif 000004
【図４】
0003836352.tif 000005
【図５】
0003836352.tif 000006
【図６】
0003836352.tif 000007
【図７】
0003836352.tif 000008
【図８】
0003836352.tif 000009
【図９】
0003836352.tif 000010